【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
回転運動可能又は直線運動可能な可動子と、該可動子を回転運動可能又は直線運動可能に支持する支持体と、前記可動子と前記支持体との間に転動自在に配された複数の転動体と、を備える転動装置において、
前記可動子，前記支持体，及び前記転動体のうち少なくとも一つを、直線状の転位組織が表面に均一に分布したセラミックで構成したことを特徴とする転動装置。
【請求項２】
前記セラミックの転位組織の転位密度を１×１０4 ｃｍ-2以上９×１０13ｃｍ-2以下としたことを特徴とする請求項１に記載の転動装置。
【請求項３】
前記セラミックの転位組織の転位密度を１×１０10ｃｍ-2以上１×１０13ｃｍ-2以下としたことを特徴とする請求項１に記載の転動装置。
【請求項４】
転がり軸受，ボールねじ，リニアガイド装置，又は直動ベアリングであることを特徴とする請求項１〜３のいずれか一項に記載の転動装置。
【請求項５】
請求項１〜４のいずれか一項に記載の転動装置の構成部品である前記可動子，前記支持体，又は前記転動体をセラミック素材から製造するに際して、
処理前後の表面粗さＲａの変化が０．０２μｍ未満となるように前記セラミック素材の表面にショットブラスト処理を施して、前記直線状の転位組織を表面に均一に分布させることを特徴とする転動装置の構成部品の製造方法。
【請求項６】
回転運動可能又は直線運動可能な可動子と、該可動子を回転運動可能又は直線運動可能に支持する支持体と、前記可動子と前記支持体との間に転動自在に配された複数の転動体と、を備える転動装置において、
前記可動子，前記支持体，及び前記転動体のうち少なくとも一つを、請求項５に記載の転動装置の構成部品の製造方法によって製造された構成部品としたことを特徴とする転動装置。
【手続補正２】
【補正対象書類名】明細書
【補正対象項目名】発明の名称
【補正方法】変更
【補正の内容】
【発明の名称】転動装置及びその構成部品の製造方法
【手続補正３】
【補正対象書類名】明細書
【補正対象項目名】０００１
【補正方法】変更
【補正の内容】
【０００１】
本発明は、転がり軸受，リニアガイド装置，ボールねじ等の転動装置に関する。また、本発明は、転動装置の構成部品である可動子，支持体，転動体の製造方法に関する。
【手続補正４】
【補正対象書類名】明細書
【補正対象項目名】０００８
【補正方法】変更
【補正の内容】
【０００８】
さらに、特許文献５に記載の転がり軸受の場合には、耐食性は優れているものの強度や破壊靱性が低いので、ある程度の荷重が負荷されると表面又は全体にクラックが伝播して、剥離や割れが生じるおそれがある。特に、ラジアル荷重を支持する場合には、外輪の負荷圏に荷重が集中するため、低荷重下であっても剥離や割れが生じ、寿命が極端に短くなる場合がある。
そこで、本発明は、前述のような従来技術が有する問題点を解決し、腐食性環境下や非磁性が要求される環境下においても使用可能であり、且つ、無潤滑条件等の厳しい潤滑条件下や高荷重下においても長寿命な転動装置を提供することを課題とする。また、本発明は、前述のような転動装置の構成部品である可動子，支持体，転動体の製造方法を提供することを課題とする。
【手続補正５】
【補正対象書類名】明細書
【補正対象項目名】０００９
【補正方法】変更
【補正の内容】
【０００９】
前記課題を解決するため、本発明は次のような構成からなる。すなわち、本発明に係る転動装置は、回転運動可能又は直線運動可能な可動子と、該可動子を回転運動可能又は直線運動可能に支持する支持体と、前記可動子と前記支持体との間に転動自在に配された複数の転動体と、を備える転動装置において、前記可動子，前記支持体，及び前記転動体のうち少なくとも一つを、直線状の転位組織が表面に均一に分布したセラミックで構成したことを特徴とする。
【手続補正６】
【補正対象書類名】明細書
【補正対象項目名】００１０
【補正方法】変更
【補正の内容】
【００１０】
本発明に係る転動装置においては、前記セラミックの転位組織の転位密度を１×１０4 ｃｍ-2以上９×１０13ｃｍ-2以下とすることが好ましく、１×１０10ｃｍ-2以上１×１０13ｃｍ-2以下とすることがより好ましい。
このような構成であれば、前記セラミックの耐食性や非磁性が優れているので、腐食性環境下や非磁性が要求される環境下においても使用可能である。また、低粘度の潤滑油の使用等により潤滑条件が厳しく固体接触が生じるような条件下や無潤滑条件下で使用されても、摩耗が生じにくく長寿命であるとともに、摩耗粉による外部環境の汚染が生じにくい。さらに、高荷重下で使用されても損傷が生じにくく長寿命である。
【手続補正７】
【補正対象書類名】明細書
【補正対象項目名】００１２
【補正方法】変更
【補正の内容】
【００１２】
また、本発明に係る転動装置の構成部品の製造方法は、前述のような本発明に係る転動装置の構成部品である前記可動子，前記支持体，又は前記転動体をセラミック素材から製造するに際して、処理前後の表面粗さＲａの変化が０．０２μｍ未満となるように前記セラミック素材の表面にショットブラスト処理を施して、前記直線状の転位組織を表面に均一に分布させることを特徴とする。
このようにして製造された転動装置の構成部品を、可動子，支持体，及び転動体のうち少なくとも一つに適用して、転動装置を構成することができる。
なお、本発明は種々の転動装置に適用することができる。例えば、転がり軸受，ボールねじ，リニアガイド装置，直動ベアリング等である。本発明における可動子とは、転動装置が転がり軸受の場合には回転輪、同じくボールねじの場合には通常はナット、同じくリニアガイド装置の場合には通常はスライダ、同じく直動ベアリングの場合には通常は外筒をそれぞれ意味する。また、支持体とは、転動装置が転がり軸受の場合には固定輪、同じくボールねじの場合には通常はねじ軸、同じくリニアガイド装置の場合には通常は案内レール、同じく直動ベアリングの場合には通常は軸をそれぞれ意味する。
【手続補正８】
【補正対象書類名】明細書
【補正対象項目名】００１３
【補正方法】変更
【補正の内容】
【００１３】
本発明の転動装置は、腐食性環境下や非磁性が要求される環境下においても使用可能である。また、無潤滑条件等の厳しい潤滑条件下や高荷重下においても長寿命である。また、本発明の転動装置の構成部品の製造方法によれば、上記のような転動装置を構成する構成部品を得ることができる。
【手続補正９】
【補正対象書類名】明細書
【補正対象項目名】００１４
【補正方法】変更
【補正の内容】
【００１４】
本発明に係る転動装置及びその構成部品の製造方法の実施の形態を、図面を参照しながら詳細に説明する。
図１は、本発明に係る転動装置の一実施形態である転がり軸受の構造を示す部分縦断面図である。この転がり軸受は、呼び番号６０００の深溝玉軸受（内径１０ｍｍ，外径２６ｍｍ，幅８ｍｍ）であり、外周面に軌道面１ａを有する内輪１と、軌道面１ａに対向する軌道面２ａを内周面に有する外輪２と、両軌道面１ａ，２ａ間に転動自在に配された複数の玉３と、内輪１と外輪２との間に複数の玉３を保持する保持器４と、を備えている。なお、本実施形態においては、回転輪である内輪１が本発明の構成要件たる可動子に相当し、固定輪である外輪２が本発明の構成要件たる支持体に相当する。